(57)【要約】【課題】機器の故障等に起因してリジェネレイティブバーナの間引きが発生した際に、バーナへの燃料供給圧力及びバーナからの排ガス圧力の変動を誘発することのないリジェネレイティブバーナの制御方法を提供する。【解決手段】炉内が被処理材の搬送方向に沿って複数の炉温制御ゾーンにゾーニングされ、各炉温制御ゾーンに複数のラジアントチューブ式リジェネレイティブバーナが配置された熱処理炉におけるリジェネレイティブバーナの制御方法において、間引き発生時に、残りのリジェネレイティブバーナの起動間隔を、稼働可能な残りのリジェネレイティブバーナ数で交番サイクルの半周期を均等割した時間に切り替えると共に、炉温制御ゾーンに属する間引き後のリジェネレイティブバーナの１台当たりの燃焼時間を、間引き前の燃焼時間の（リジェネレイティブバーナ全数／間引き後のリジェネレイティブバーナ数）倍に切り替える。【選択図】図６
2013145100.tif 000002
【特許請求の範囲】
【請求項１】
炉内が被処理材の搬送方向に沿って複数の炉温制御ゾーンにゾーニングされ、前記各炉温制御ゾーンに複数のラジアントチューブ式リジェネレイティブバーナが配置された熱処理炉における前記リジェネレイティブバーナの制御方法において、
前記炉温制御ゾーンに属する１又は複数の前記リジェネレイティブバーナを間引きした際、残りの前記リジェネレイティブバーナの起動間隔Ｔｒｓ（ｓｅｃ）を（１）式により算出される値に切り替えると共に、残りの前記リジェネレイティブバーナの各燃焼時間Ｔｏｎ（ｓｅｃ）を（２）式により算出される値に切り替えることを特徴とするリジェネレイティブバーナの制御方法。
Ｔｒｓ＝（Ｔ／２）／（ｎ−ｎｅｒｒ）                                （１）
Ｔｏｎ＝（Ｔ／２）×（ＢＬ／１００）×（ｎ／（ｎ−ｎｅｒｒ））      （２）
ここに、Ｔ：交番サイクルの周期（ｓｅｃ）、ｎ：前記炉温制御ゾーンに属する前記リジェネレイティブバーナの総数、ｎｅｒｒ：前記炉温制御ゾーン内で間引きされた前記リジェネレイティブバーナの数、ＢＬ：ゾーン燃焼負荷（％）
【請求項２】
請求項１記載のリジェネレイティブバーナの制御方法において、間引き発生時に燃焼していた前記リジェネレイティブバーナの中で一番最後に起動した前記リジェネレイティブバーナの点火時を基準にして、それ以降に起動する前記リジェネレイティブバーナの前記起動間隔Ｔｒｓ及び前記燃焼時間Ｔｏｎの切り替えを行うことを特徴とするリジェネレイティブバーナの制御方法。
【発明の詳細な説明】
【技術分野】
【０００１】
本発明は、熱処理炉に設置されたリジェネレイティブバーナの制御方法に関し、特に、機器の故障等に起因して間引きが発生した際におけるリジェネレイティブバーナの制御方法に関する。
【背景技術】
【０００２】
鋼帯等の被処理材の熱処理を行う熱処理炉では、省エネルギー化を図るため、炉内加熱用のヒータとして、ラジアントチューブ式のリジェネレイティブバーナが設置されている。ラジアントチューブ式のリジェネレイティブバーナでは、蓄熱体が内蔵されたバーナがラジアントチューブの両端に取り付けられており、これら一対のバーナが交互に燃焼（交番燃焼）する。一方のバーナが燃焼した際に発生した排ガスは、ラジアントチューブを介して他方のバーナの蓄熱体を通過し、当該蓄熱体に排ガスの廃熱が蓄熱される。そして、他方のバーナが燃焼する際、燃焼空気が当該蓄熱体を通過することにより燃焼空気が予熱される。
【０００３】
上記熱処理炉において、流量制御弁を用いてバーナの燃焼量を連続的に変化させる方法により炉内温度の制御を行った場合、バーナや流量制御弁の性能等により、ターンダウン（燃焼負荷調整範囲）は１／５程度が限界であるとされている（特許文献１参照）。また、温度分布の変化が大きくなって熱応力が発生し、それが繰り返されることによってラジアントチューブの寿命が短くなるという問題がある。
【０００４】
そこで、特許文献１では、ラジアントチューブの両端に取り付けられたバーナを交番燃焼させる際、交番燃焼の燃焼設定時間内にラジアントチューブからの排気を行わない燃焼停止時間を必要に応じて設け、燃焼時間と燃焼停止時間の割合を負荷に応じて調節することにより炉温を制御する方法が開示されている。
上記制御方法では、被処理材の搬送方向に沿ってゾーニングされた各炉温制御ゾーン内において、各バーナの交番燃焼の位相を均等にずらすローテイショナル・シーケンスを行うことにより、炉内温度変化を抑制すると共に、バーナへの燃料供給圧及びバーナからの排ガス圧力の変動を防止している。
【０００５】
なお、本明細書では特記しない限り、ラジアントチューブの両端に取り付けられた一対の蓄熱式バーナ及び該ラジアントチューブを主たる構成要素とするラジアントチューブ式リジェネレイティブバーナを「リジェネレイティブバーナ」と呼び、ラジアントチューブの端部に取り付けられた蓄熱式バーナを「バーナ」と呼ぶことにする。
【先行技術文献】
【特許文献】
【０００６】
【特許文献１】特開平１０−１４１６１４号公報
【発明の概要】
【発明が解決しようとする課題】
【０００７】
しかしながら、特許文献１に記載された炉温制御方法では、操業中に機器（バルブ、電磁弁、リミットスイッチ等）の故障が発生し、炉温制御ゾーン内の１又は複数のリジェネレイティブバーナを間引き（休止）した場合、ローテイショナル・シーケンスに歯抜けが生じて、各バーナの交番燃焼の位相ずれが均等に保たれないため、バーナへの燃料供給圧及びバーナからの排ガス圧力が変動する。間引き数が多くなり燃焼負荷が大幅に低下した場合には、全ての燃料弁が閉となるタイミングが発生し、バーナへの燃料供給圧力制御において大きな変動が誘発されるおそれがある。燃料供給圧力が大きく変動すると、空燃比が変動し、燃焼温度の変動並びに黒煙発生に至る事態となる。
【０００８】
本発明はかかる事情に鑑みてなされたもので、機器の故障等に起因してリジェネレイティブバーナの間引きが発生した際に、バーナへの燃料供給圧力及びバーナからの排ガス圧力の変動を誘発することのないリジェネレイティブバーナの制御方法を提供することを目的とする。
【課題を解決するための手段】
【０００９】
上記目的を達成するため、本発明は、炉内が被処理材の搬送方向に沿って複数の炉温制御ゾーンにゾーニングされ、前記各炉温制御ゾーンに複数のラジアントチューブ式リジェネレイティブバーナが配置された熱処理炉における前記リジェネレイティブバーナの制御方法において、
前記炉温制御ゾーンに属する１又は複数の前記リジェネレイティブバーナを間引きした際、残りの前記リジェネレイティブバーナの起動間隔Ｔｒｓ（ｓｅｃ）を（１）式により算出される値に切り替えると共に、残りの前記リジェネレイティブバーナの各燃焼時間Ｔｏｎ（ｓｅｃ）を（２）式により算出される値に切り替えることを特徴としている。
Ｔｒｓ＝（Ｔ／２）／（ｎ−ｎｅｒｒ）                                （１）
Ｔｏｎ＝（Ｔ／２）×（ＢＬ／１００）×（ｎ／（ｎ−ｎｅｒｒ））      （２）
ここに、Ｔ：交番サイクルの周期（ｓｅｃ）、ｎ：前記炉温制御ゾーンに属する前記リジェネレイティブバーナの総数、ｎｅｒｒ：前記炉温制御ゾーン内で間引きされた前記リジェネレイティブバーナの数、ＢＬ：ゾーン燃焼負荷（％）
【００１０】
なお、上記起動間隔Ｔｒｓ及び燃焼時間Ｔｏｎ並びにｎ及びｎｅｒｒは、ラジアントチューブの両端に取り付けられた一対の蓄熱式バーナを１台のラジアントチューブ式リジェネレイティブバーナと見なしたときの数値である。また、ゾーン燃焼負荷ＢＬは、（炉温制御ゾーンに属する稼働可能なリジェネレイティブバーナの数×当該リジェネレイティブバーナの半周期における稼働時間）／（炉温制御ゾーンに属するリジェネレイティブバーナの総数×半周期）である。
【００１１】
炉温制御ゾーンに属するラジアントチューブ式リジェネレイティブバーナ群の制御では、リジェネレイティブバーナを構成する一方のバーナが、Ｔ／２、即ち交番サイクルの半周期の間に順次起動し、次いで他方のバーナが交番サイクルの残り半周期の間に順次起動する。
本発明では、リジェネレイティブバーナの間引き後に、ローテイショナル・シーケンスに歯抜けが生じないようにするため、間引き発生時に、残りのリジェネレイティブバーナの起動間隔Ｔｒｓを、稼働可能な残りのリジェネレイティブバーナ数で交番サイクルの半周期を均等割した時間に切り替えるようにしている。
さらに、本発明では、炉温制御ゾーンに属するリジェネレイティブバーナ全数が負担していたゾーン燃焼負荷ＢＬを、稼働可能な残りのリジェネレイティブバーナで賄うため、残りのリジェネレイティブバーナの１台当たりの燃焼時間を、間引き前の燃焼時間の（リジェネレイティブバーナ全数／間引き後のリジェネレイティブバーナ数）倍に切り替えるようにしている。
上記方法により、間引き後に、ローテイショナル・シーケンスの歯抜けが無くなり、各バーナの交番燃焼の位相ずれが均等に保たれると共に、間引き本数に関わらず炉温制御ゾーンの燃焼負荷を一定に保つことができる。
【００１２】
また、本発明に係るリジェネレイティブバーナの制御方法では、間引き発生時に燃焼していた前記リジェネレイティブバーナの中で一番最後に起動した前記リジェネレイティブバーナの点火時を基準にして、それ以降に起動する前記リジェネレイティブバーナの前記起動間隔Ｔｒｓ及び前記燃焼時間Ｔｏｎの切り替えを行うことを好適とする。
【００１３】
当該構成では、間引き発生時における、残りのリジェネレイティブバーナの起動間隔Ｔｒｓ及び燃焼時間Ｔｏｎの切り替え時を、間引き発生時に燃焼していたリジェネレイティブバーナの中で一番最後に起動したリジェネレイティブバーナの点火時を基準としているので、間引き発生の前後における起動間隔及び燃焼時間の切り替えをスムーズに行うことができる。
【発明の効果】
【００１４】
本発明に係るリジェネレイティブバーナの制御方法では、リジェネレイティブバーナの間引き発生時に、残りのリジェネレイティブバーナの起動間隔を、稼働可能な残りのリジェネレイティブバーナ数で交番サイクルの半周期を均等割した時間に切り替えると共に、炉温制御ゾーンに属する間引き後のリジェネレイティブバーナの１台当たりの燃焼時間を、間引き前の燃焼時間の（リジェネレイティブバーナの全数／間引き後のリジェネレイティブバーナ数）倍に切り替えるので、ローテイショナル・シーケンスにおける各バーナの交番燃焼の位相ずれが均等に保たれ、リジェネレイティブバーナへの燃料供給圧力及びリジェネレイティブバーナからの排ガス圧力の変動を防止することができる。
また、間引き前後における炉温制御ゾーンの燃焼負荷が一定に保たれるため、間引き発生による炉温制御の外乱を防止することができ、製品品質の安定化を図ることができる。
【図面の簡単な説明】
【００１５】
【図１】（Ａ）は熱処理炉内におけるリジェネレイティブバーナの配置を示す模式図、（Ｂ）はリジェネレイティブバーナ群の部分拡大図である。
【図２】１つの炉温制御ゾーンに属するリジェネレイティブバーナ群の系統図である。
【図３】平時、バーナ燃焼負荷率１００％におけるバルブ開閉チャートの一例である。
【図４】平時、バーナ燃焼負荷率２０％におけるバルブ開閉チャートの一例である。
【図５】間引き発生時、バーナ燃焼負荷率２０％における、従来の制御方法によるバルブ開閉チャートの一例である。
【図６】本発明の一実施の形態に係るリジェネレイティブバーナの制御方法の手順を説明するためのフローチャートである。
【図７】間引き発生時、ゾーン燃焼負荷２０％における、同リジェネレイティブバーナの制御方法によるバルブ開閉チャートの一例である。
【発明を実施するための形態】
【００１６】
続いて、添付した図面を参照しつつ、本発明を具体化した実施の形態に付き説明し、本発明の理解に供する。
【００１７】
図１（Ａ）に示すように、熱処理炉３０の内部には、鋼帯等の被処理材Ｓを搬送するための搬送ローラ３１が上部及び下部にそれぞれ複数設けられている。搬送口３０ａから熱処理炉３０内に搬入された被処理材Ｓは、複数の搬送ローラ３１により熱処理炉３０内で幾重にも折り返された後、搬出口３０ｂから搬出される。
熱処理炉３０内には、被処理材Ｓを加熱するためのリジェネレイティブバーナ１０が、被処理材Ｓを挟んで、被処理材Ｓの搬送方向に複数設置されている（図１（Ａ）、（Ｂ）参照）。被処理材Ｓを搬送する各往路及び各復路は、それぞれ独立した炉温制御ゾーン３２とされ、各炉温制御ゾーン３２に属するリジェネレイティブバーナ群によって該炉温制御ゾーン３２の炉温制御が行われる。
【００１８】
図２は、１つの炉温制御ゾーン３２に属するリジェネレイティブバーナ群の系統図を示したものであり、１０台のリジェネレイティブバーナ１０（以下、それぞれをリジェネレイティブバーナ１１、…、２０とする。）によりリジェネレイティブバーナ群が構成されている。ここでは、リジェネレイティブバーナ１１を例に採り、リジェネレイティブバーナ１０（ラジアントチューブ式リジェネレイティブバーナ）の構造について説明する。
【００１９】
リジェネレイティブバーナ１１は、Ｎｉ−Ｃｒ系などの耐熱合金をＷ字状に形成したラジアントチューブ（放射管）１１４（リジェネレイティブバーナ１２、１３、…、２０においてはラジアントチューブ１２４、１３４、…、２０４）と、ラジアントチューブ１１４の両端に装着された一対のバーナ１１０ａ、１１０ｂとを有している。バーナ１１０ａ、１１０ｂは蓄熱式バーナであって、排ガスの廃熱を蓄熱するための蓄熱体（図示省略）が内蔵されている。
前述したように、リジェネレイティブバーナ１１では、一対のバーナ１１０ａ、１１０ｂが交互に燃焼する。一方のバーナ１１０ａが燃焼した際に発生した排ガスは、ラジアントチューブ１１４を介して他方のバーナ１１０ｂに内蔵された蓄熱体を通過する。その際、当該蓄熱体に排ガスの廃熱が蓄熱され、他方のバーナ１１０ｂが燃焼する際に、当該蓄熱体を通過する燃焼空気の予熱に利用される。
【００２０】
燃料配管２６を介して送給される燃料は、燃料弁１１１ａ、１１１ｂを経由して各バーナ１１０ａ、１１０ｂに供給される。また、燃焼空気配管２８を介して大気から吸引された燃焼空気は、吸気弁１１３ａ、１１３ｂを経由して各バーナ１１０ａ、１１０ｂに供給される。一方、各バーナ１１０ａ、１１０ｂから排出される排ガスは、排ガス弁１１２ａ、１１２ｂを経由して排ガス配管２７から大気中に排出される。
【００２１】
なお、燃料配管２６の経路上には、燃料圧力調整弁２１と燃料圧力発信器２２が設置されている。バーナ１１０ａ、１１０ｂ、…、２００ａ、２００ｂの燃料は、燃料圧力発信器２２の出力に基づいて開度が調整される燃料圧力調整弁２１を経由した後、燃料配管２６を介して各バーナ１１０ａ、１１０ｂ、…、２００ａ、２００ｂに分配される。
一方、排ガス配管２７の経路上には、排ガス圧力調整弁２３と排ガス圧力発信器２４が設置されると共に、排ガス配管２７の終端にはブロワ２５が設置されている。各バーナ１１０ａ、１１０ｂ、…、２００ａ、２００ｂから排出された排ガスはブロワ２５に吸引され、排ガス圧力発信器２４の出力に基づいて開度が調整された排ガス圧力調整弁２３を経由した後、排ガス配管２７から大気中に放出される。
【００２２】
図３は、１つの炉温制御ゾーン３２に属するリジェネレイティブバーナ１１〜２０のバルブ開閉チャートの一例を示したものである。同図において、各バーナ１１０ａ、１１０ｂ、１２０ａ、１２０ｂ、…、２００ａ、２００ｂの最初の行（１）は燃料弁１１１ａ、１１１ｂ、１２１ａ、１２１ｂ、…、２０１ａ、２０１ｂの開閉状態を、真ん中の行（２）は吸気弁１１３ａ、１１３ｂ、１２３ａ、１２３ｂ、…、２０３ａ、２０３ｂの開閉状態を、最後の行（３）は排ガス弁１１２ａ、１１２ｂ、１２２ａ、１２２ｂ、…、２０２ａ、２０２ｂの開閉状態をそれぞれ示している。後述する図４、図５、図７も同様である。
【００２３】
本例では、交番サイクルの周期Ｔを４０秒とする。炉温制御ゾーン３２に属する全てのリジェネレイティブバーナ１１〜２０が稼働しており、各リジェネレイティブバーナ１１〜２０のバーナ燃焼負荷率は１００％であり、ゾーン燃焼負荷も１００％である。ここで、バーナ燃焼負荷率とは、半周期において１台のリジェネレイティブバーナ１０が燃焼している時間の割合である。また、ゾーン燃焼負荷とは、（炉温制御ゾーン３２に属する稼働可能なリジェネレイティブバーナ１０の数×当該リジェネレイティブバーナ１０の半周期における稼働時間）／（炉温制御ゾーン３２に属するリジェネレイティブバーナ１０の総数×半周期）である。
【００２４】
リジェネレイティブバーナ１０は一対のバーナの内、一方しか燃焼しないので、実質的には、半周期において１台のバーナ１１０ａ、１１０ｂ、１２０ａ、１２０ｂ、…、２００ａ、２００ｂが燃焼している時間の割合である。従って、各バーナ１１０ａ、１１０ｂ、１２０ａ、１２０ｂ、…、２００ａ、２００ｂの燃焼時間は２０秒となる。
また、リジェネレイティブバーナ１１〜２０の起動間隔は、ローテイショナル・シーケンスより、半周期２０秒をリジェネレイティブバーナ数１０台で均等割した２秒となる。
【００２５】
先ず、バーナ１１０ａの燃料弁１１１ａと吸気弁１１３ａが開、排ガス弁１１２ａが閉とされ、バーナ１１０ａが２０秒間（半サイクルの間）燃焼状態となる。一方、バーナ１１０ｂは、バーナ１１０ａの点火後、半サイクルの間、バーナ１１０ｂの燃料弁１１１ｂと吸気弁１１３ｂが閉、排ガス弁１１２ｂが開とされ、排気状態となる。
バーナ１１０ａの点火から２秒後に、バーナ１２０ａの燃料弁１２１ａと吸気弁１２３ａが開、排ガス弁１２２ａが閉とされ、バーナ１２０ａが２０秒間（半サイクルの間）燃焼状態となる。一方、バーナ１２０ｂは、バーナ１２０ａの点火後、半サイクルの間、バーナ１２０ｂの燃料弁１２１ｂと吸気弁１２３ｂが閉、排ガス弁１２２ｂが開とされ、排気状態となる。
以降、２秒間隔でバーナ１３０ａ、１４０ａ、…、２００ａの順に点火し、次いで、バーナ１１０ｂ、１２０ｂ、…、２００ｂの順に点火する。
【００２６】
図４は、炉温制御ゾーン３２に属する全てのリジェネレイティブバーナ１１〜２０が稼働し、各リジェネレイティブバーナ１１〜２０のバーナ燃焼負荷率が２０％である条件下における、炉温制御ゾーン３２に属するリジェネレイティブバーナ１１〜２０のバルブ開閉チャートの一例を示したものである。バーナ燃焼負荷率２０％のときの各バーナ１１０ａ、１１０ｂ、１２０ａ、１２０ｂ、…、２００ａ、２００ｂの燃焼時間は、２０秒×０．２＝４秒となる。リジェネレイティブバーナ１０〜２０の起動間隔は、図３の例と同様、２秒である。なお、この時のゾーン燃焼負荷は、バーナ燃焼負荷率と同じ２０％となる。
【００２７】
本例では、先ず、バーナ１１０ａの燃料弁１１１ａと吸気弁１１３ａが開、排ガス弁１１２ａが閉とされ、バーナ１１０ａが４秒間燃焼状態となった後、バーナ１１０ａの燃料弁１１１ａと吸気弁１１３ａが閉、排ガス弁１１２ａが開とされ、バーナ１１０ａは１サイクルの残り時間排気状態になる。一方、バーナ１１０ｂは、バーナ１１０ａの点火後、半サイクルの間、バーナ１１０ｂの燃料弁１１１ｂと吸気弁１１３ｂが閉、排ガス弁１１２ｂが開とされ、排気状態になる。
バーナ１１０ａの点火から２秒後に、バーナ１２０ａの燃料弁１２１ａと吸気弁１２３ａが開、排ガス弁１２２ａが閉とされ、バーナ１２０ａが４秒間燃焼状態となった後、バーナ１２０ａの燃料弁１２１ａと吸気弁１２３ａが閉、排ガス弁１２２ａが開とされ、バーナ１２０ａは１サイクルの残り時間排気状態になる。一方、バーナ１２０ｂは、バーナ１２０ａの点火後、半サイクルの間、バーナ１２０ｂの燃料弁１２１ｂと吸気弁１２３ｂが閉、排ガス弁１２２ｂが開とされ、排気状態になる。
以降、２秒間隔でバーナ１３０ａ、１４０ａ、…、２００ａの順に点火し、次いで、バーナ１１０ｂ、１２０ｂ、…、２００ｂの順に点火する。
【００２８】
図５は、図４の条件下においてリジェネレイティブバーナ１３、１４が故障した場合を示している。本例の場合、１サイクルの間に２秒間、全てのリジェネレイティブバーナ１１〜２０が燃焼していない状態、即ち、全ての燃料弁１１１ａ、１１１ｂ、１２１ａ、１２１ｂ、…、２０１ａ、２０１ｂ及び全ての吸気弁１１３ａ、１１３ｂ、１２３ａ、１２３ｂ、…、２０３ａ、２０３ｂが閉である状態が発生する。このような状態になった場合、バーナ１１０ａ、１１０ｂ、１２０ａ、１２０ｂ、…、２００ａ、２００ｂへの燃料供給圧力制御において大きな変動が誘発されるおそれがある。また、この時、バーナ燃焼負荷率は２０％であるが、ゾーン燃焼負荷は１６％に低下する。
【００２９】
次に、本発明の一実施の形態に係るリジェネレイティブバーナの制御方法について説明する。
本実施の形態に係るリジェネレイティブバーナの制御方法は、リジェネレイティブバーナ１０の間引きが発生した時点で実行される。具体的には、炉温制御ゾーン３２に属する１又は複数のリジェネレイティブバーナ１０を間引きした際、残りのリジェネレイティブバーナ１０の起動間隔Ｔｒｓ（ｓｅｃ）を（３）式により算出される値に切り替えると共に、残りのリジェネレイティブバーナ１０の各燃焼時間Ｔｏｎ（ｓｅｃ）を（４）式により算出される値に切り替える。
Ｔｒｓ＝（Ｔ／２）／（ｎ−ｎｅｒｒ）                                （３）
Ｔｏｎ＝（Ｔ／２）×（ＢＬ／１００）×（ｎ／（ｎ−ｎｅｒｒ））      （４）
ここに、Ｔ：交番サイクルの周期（ｓｅｃ）、ｎ：炉温制御ゾーン３２に属するリジェネレイティブバーナ１０の総数、ｎｅｒｒ：炉温制御ゾーン３２内で間引きされたリジェネレイティブバーナ１０の数、ＢＬ：ゾーン燃焼負荷（％）
【００３０】
また、リジェネレイティブバーナ１０の起動間隔Ｔｒｓ及び燃焼時間Ｔｏｎの切り替えは、間引き発生時に燃焼していたリジェネレイティブバーナ１０の中で一番最後に起動したリジェネレイティブバーナ１０の点火時を基準にして、それ以降に起動するリジェネレイティブバーナ１０に適用する。
【００３１】
本実施の形態に係るリジェネレイティブバーナの制御方法の手順を説明するためのフローチャートを図６に示す。
（ＳＴＥＰ１）リジェネレイティブバーナ１０の間引きが発生したかどうかのチェックが行われ（ＳＴ１０）、間引きが発生していない場合は、制御終了かどうかのチェック（ＳＴ１４）に移行する。
（ＳＴＥＰ２）リジェネレイティブバーナ１０の間引きが発生している場合は、間引き発生時に燃焼していたリジェネレイティブバーナ１０の中で一番最後に起動したリジェネレイティブバーナ１０を選定する。そして、選定されたリジェネレイティブバーナ１０以降に起動するリジェネレイティブバーナ１０の起動間隔Ｔｒｓ及び燃焼時間Ｔｏｎの切り替え時の基準を、選定されたリジェネレイティブバーナ１０の点火時とする（ＳＴ１１）。
（ＳＴＥＰ３）リジェネレイティブバーナ１０の起動間隔Ｔｒｓ及び燃焼時間Ｔｏｎを（３）式及び（４）式を用いて算出する（ＳＴ１２）。
（ＳＴＥＰ４）選定されたリジェネレイティブバーナ１０以降のリジェネレイティブバーナ１０に、（３）式及び（４）式で算出した起動間隔Ｔｒｓ及び燃焼時間Ｔｏｎを反映する（ＳＴ１３）。
（ＳＴＥＰ５）制御終了かどうかチェックし（ＳＴ１４）、制御が未だ終了していない場合は、ＳＴ１０に戻り、改めて間引き発生についてチェックを行う。
【００３２】
図７は、図５と同様の条件下において、本実施の形態に係るリジェネレイティブバーナの制御方法を実施した場合のバルブ開閉チャートを示したものである。
本実施の形態に係るリジェネレイティブバーナの制御方法では、リジェネレイティブバーナ１３が故障して間引きされた時点で、リジェネレイティブバーナ１０の起動間隔Ｔｒｓは２．２２秒、燃焼時間Ｔｏｎは４．４４秒となる。
間引き発生時に燃焼していたリジェネレイティブバーナ１０の中で一番最後に起動したリジェネレイティブバーナ１２の点火時が、起動間隔Ｔｒｓ及び燃焼時間Ｔｏｎの切り替え時の基準となり、リジェネレイティブバーナ１２以降に、新しい起動間隔Ｔｒｓ及び燃焼時間Ｔｏｎが適用される。
【００３３】
しかし、本例では、リジェネレイティブバーナ１４も故障して間引きされたため、再びリジェネレイティブバーナ１０の起動間隔Ｔｒｓ及び燃焼時間Ｔｏｎが計算される。新たに算出された起動間隔Ｔｒｓは２．５秒、燃焼時間Ｔｏｎは５秒となる。この起動間隔Ｔｒｓ及び燃焼時間Ｔｏｎが、リジェネレイティブバーナ１２の点火時を基準にしてリジェネレイティブバーナ１２以降に適用されることになる。
【００３４】
図５と異なり、図７では、全てのリジェネレイティブバーナ１１〜２０が燃焼していない状態が発生していないことがわかる。また、この時、バーナ燃焼負荷率が２５％となることにより、ゾーン燃焼負荷が２０％に保たれることがわかる。
なお、間引き前のゾーン燃焼負荷ＢＬが８０％の場合、リジェネレイティブバーナ１０が２台故障しても間引き前のゾーン燃焼負荷を維持することができ、間引き前のゾーン燃焼負荷ＢＬが６０％の場合、リジェネレイティブバーナ１０が４台故障しても間引き前のゾーン燃焼負荷を維持することができる。一方、間引き前のゾーン燃焼負荷ＢＬが１００％の場合、間引き後には、間引き前のゾーン燃焼負荷を維持することはできないが、各バーナの交番燃焼の位相ずれを均等に保つことができる。
【００３５】
以上、本発明の一実施の形態について説明してきたが、本発明は何ら上記した実施の形態に記載の構成に限定されるものではなく、特許請求の範囲に記載されている事項の範囲内で考えられるその他の実施の形態や変形例も含むものである。例えば、上記実施の形態では、ラジアントチューブの形状はＷ字状としているが、Ｕ字状など他の形状でも良いことは言うまでもない。また、上記実施の形態では、炉温制御ゾーンに属するリジェネレイティブバーナの総数を１０台としたが、その台数に限定されるものではないことは言うまでもない。さらにまた、各バーナの配置や点火順位は、図示された内容に限定されるものではない。
【符号の説明】
【００３６】
１０〜２０：リジェネレイティブバーナ（ラジアントチューブ式リジェネレイティブバーナ）、２１：燃料圧力調整弁、２２：燃料圧力発信器、２３：排ガス圧力調整弁、２４：排ガス圧力発信器、２５：ブロワ、２６：燃料配管、２７：排ガス配管、２８：燃焼空気配管、３０：熱処理炉、３０ａ：搬入口、３０ｂ：搬出口、３１：搬送ロール、３２：炉温制御ゾーン、１１０ａ、１２０ａ、…、２００ａ、１１０ｂ、１２０ｂ、…、２００ｂ：バーナ（蓄熱式バーナ）、１１１ａ、１２１ａ、…、２０１ａ、１１１ｂ、１２１ｂ、…、２０１ｂ：燃料弁、１１２ａ、１２２ａ、…、２０２ａ、１１２ｂ、１２２ｂ、…、２０２ｂ：排ガス弁、１１３ａ、１２３ａ、…、２０３ａ、１１３ｂ、１２３ｂ、…、２０３ｂ：吸気弁、１１４、１２４、…、２０４：ラジアントチューブ、Ｓ：被処理材
【図１】
2013145100.tif 000003
【図２】
2013145100.tif 000004
【図３】
2013145100.tif 000005
【図４】
2013145100.tif 000006
【図５】
2013145100.tif 000007
【図６】
2013145100.tif 000008
【図７】
2013145100.tif 000009